(57)【要約】【課題】本発明は、保存容量が大きく、確実に保存し、体積が小さく携帯に便利で差し込めばすぐに使用できるＵＳＢインターフェイスのポータブルフラッシュメモリーシステムガイド装置及びガイド方法を提供する。【解決手段】本発明は、外側のケースと、ケース内側にＵＳＢインターフェイスと、フラッシュメモリーと、ＣＰＵと、レジスターなどから形成したコントロール電子回路を形成し、ＣＰＵは完全にアドレスを選択し、周波数を転換し、ＣＰＵポートはＵＳＢ、フラッシュメモリー、レジスターに接続し、ＣＰＵポートは赤外線、ＩＲモジュール、周波数識別探知アンテナにも接続している。【選択図】　図１
2004021581.tif 000002
【特許請求の範囲】
【請求項１】
本発明は、外側のケースと、ケース内に形成するコンピューター通信インターフェイスと、フラッシュメモリーと、ＣＰＵと、レジスターとから成るコントロール電子回路から構成し、ＣＰＵは完全にアドレスを選択、通信し
、データーを調整し、ＣＰＵポートは通信インターフェイス、フラッシュメモリー、レジスターに接続することを特徴とするフラッシュメモリーのシステムガイド装置。
【請求項２】
通信インターフェイスはＵＳＢインターフェイスであることを特徴とする請求項１記載のフラッシュメモリーのシステムガイド装置。
【請求項３】
コントロール電子回路は一端がＣＰＵポートに接続し、もう一端が高電気周波数或いは地面に接続する読み書きコントロールスイッチを含むことを特徴とする請求項１記載のフラッシュメモリーのシステムガイド装置。
【請求項４】
読み書きコントロールスイッチ操作部分はケース外側側面に形成することを特徴とする請求項３記載のフラッシュメモリーのシステムガイド装置。
【請求項５】
ＣＰＵは電子ロックパスワード或いはガイドプログラム保存デバイスに接続することを特徴とする請求項１記載のフラッシュメモリーのシステムガイド装置。
【請求項６】
保存デバイスはフラッシュメモリーの保存エリア部分或いは独立したメモリーとすることを特徴とする請求項１記載のフラッシュメモリーのシステムガイド装置。
【請求項７】
ＣＰＵポートはワイヤレス受信デ装置のアウトプットにも接続し、ワイヤレス受信装置はガイドデバイスの本体上に形成することを特徴とする請求項１記載のフラッシュメモリーのシステムガイド装置。
【請求項８】
ワイヤレス受信デバイスはいＩＲモジュール或いは探知アンテナの周波数識別モジュールから成ることを特徴とする請求項６記載のフラッシュメモリーのシステムガイド装置。
【請求項９】
フラッシュメモリーのデーターブロックをシステムガイドエリアとデーター保存エリアに分け、システムガイドエリアはＢＩＯＳ標準デバイスの磁気ディスクガイドデーターフォーマットと合わせ、磁気ディスクガイドデーターフォーマットのデーターブロックはテーブルと合わせ、データー交換インターフェイスを通してＢＩＯＳ間を調査し、保存フォーマットチェック過程を完全に支援し、フラッシュメモリーはガイドデバイスを設定することを特徴とするフラッシュメモリーシステムガイド方法。
【請求項１０】
ガイドデーターフォーマットはハード或いはソフトディスクのガイドデーターディスクフォーマットとすることを特徴とする請求項９記載のフラッシュメモリーシステムガイド方法。
【請求項１１】
フラッシュメモリーのデーターブロックは分けたデーターブロックと一致することを特徴とする請求項９記載のフラッシュメモリーシステムガイド方法。
【請求項１２】
データー交換インターフェイスはＵＳＢインターフェイスとすることを特徴とする請求項９記載のフラッシュメモリーシステムガイド方法。
【請求項１３】
フラッシュメモリーデバイスはハード或いはソフトディスクガイドデーターフォーマット転換スイッチを形成することを特徴とする請求項９、請求項１０記載のフラッシュメモリーシステムガイド方法。
【請求項１４】
転換スイッチはそれぞれハードディスクとソフトディスクガイドデーターフォーマットエリアの転換電子回路に接続するか、コマンド調整を起動することを特徴とするフラッシュメモリーシステムガイド方法。
【請求項１５】
フラッシュメモリーデーター保存エリアは公共データーエリアと機密エリアに分かれ、データーの読み書きを許可するパスワードは機密エリアに設け、そうでなければメモリーのデーターエリアはさらにパスワード保存エリアに分けられ、パスワードはパスワード保存エリアに設け、公共エリア内はパスワードを確認するため書類を実行し、書類、パスワードを正確に入力後、パスワードエリア或いは機密エリアのパスワード保存エリアを読み取りアクセスし、パスワードが一致すれば使用者にディスク記号を提供し機密エリアを開放し、パスワードが一致しない場合、使用者は公共エリアのみを使用し、パスワードが誤りであることを提示することを特徴とする請求項１３記載のフラッシュメモリーシステムガイド方法。
【請求項１６】
ＰＣとフラッシュメモリー間は、ＰＣ使用権を得るための調査をすることを特徴とする請求項１５記載のフラッシュメモリーシステムガイド方法。
【請求項１７】
許可決定は、フラッシュメモリーとＰＣのＢＩＯＳにより行われ、保存エリアは、固定パスワードと変動パスワードの２組のパスワードから構成し、標準デバイスを通してＰＩＤ及びＶＩＤは読み取りアクセスでき、ＢＩＯＳのデーター庫を承認後、ＰＣは正常に起動し、使用者は機密エリア或いはパスワードエリアにパスワードを保存し、ＰＣ電源を入れた後ＢＩＯＳは自動的に使用者にパスワードを入力することを要求し、チェックが成功した後正常に起動し、使用者はＢＩＯＳインターフェイスを通して或いは内部に対応したプログラムによりパスワードを変更することができることを特徴とする請求項１６記載のフラッシュメモリーシステムガイド方法。
【請求項１８】
初めて使用者がデーター機密機能を通して起動プログラムをインストールするために機密エリアに入り、起動プログラムインストール後、パスワード入力し、フラッシュメモリーを使用する権利を得られ、ＰＣは各操作前にいつもフラッシュメモリーを挿入したかどうかチェックしたパスワードがフラッシュメモリー内のコンピューターロックパスワードと同じかどうかチェックし、パスワードが一致すれば使用者に使用権を与え、一致しない場合は、引き続きフラッシュメモリーを使用することを禁止し、禁止方式はすべての通信ポート機能を切断することを特徴とする請求項１６記載のフラッシュメモリーシステムガイド方法。
【請求項１９】
すでに起動プログラムをインストールしている場合、毎回作動システム起動後システムは使用者がパスワードを入力するために自動的にパスワードウィンドーをオープンし、パスワード入力後フラッシュメモリーデーターエリアはパスワードがフラッシュメモリーデーター内のコンピューターロックパスワードと同じかどうかチェックし、一致する場合、使用者は使用権を得られ、異なる場合引き続き使用することを拒否し、すべての通信ポート機能を切断することを特徴とする請求項１８記載のフラッシュメモリーシステムガイド方法。
【発明の詳細な説明】
【０００１】
【発明の属する技術分野】
本発明は、保存容量が大きく、確実に保存し、体積が小さく携帯に便利で差し込めばすぐに使用できるＵＳＢインターフェイスのポータブルフラッシュメモリーシステムガイド装置及びガイド方法に関する。
【０００２】
【従来の技術】
現在の移動保存デバイスは、真に移動の目的を達成できず、外設式ハードディスク、外設式ＣＤ　ＲＯＭ、ＺＩＰ、ＭＯなど多くは体積が大きく携帯に不便で、大保存容量を提供するが、機動性が不足していた。
【０００３】
【発明が解決しようとする課題】
ソフトディスクなど携帯型メモリーは専用駆動器が面積を占め、電力消費、騒音も大きく、ソフトドライバーの反応は遅く、保存空間が小さく、データー保存の信頼性が低く、磁気ディスクは保存媒体として不安全である以外に、携帯中物理的破壊を受け易く、常に修正しなければならず使用効率に支障をきたし、現在のメモリーは実用性に欠けていた。
【０００４】
そこで本発明は、ＰＣガイドディスクと成り、システムガイド駆動の作用と、大保存容量、保存確実性を提供し、携帯に便利ですぐに使用でき、周波数識別或いはワイヤレス受信としてＰＣの外設通信インターフェイスとなり、個人身分識別をすることを目的とする。
【０００５】
また、フラッシュメモリーシステムガイド装置とガイド方法は、フラッシュメモリー保存エリアを通して管理し、計算機電子ロックと成り、コンピューター使用は安全で機密保護を目的とする。
【０００６】
【課題を解決するための手段】
本発明は、外側のケースと、ケース内側にＵＳＢインターフェイスと、フラッシュメモリーと、ＣＰＵと、レジスターなどから形成したコントロール電子回路を形成し、ＣＰＵは完全にアドレスを選択し、周波数を転換し、ＣＰＵポートはＵＳＢ、フラッシュメモリー、レジスターに接続し、ＣＰＵポートは赤外線、ＩＲモジュール、周波数識別探知アンテナにも接続している。
【０００７】
【発明実施の形態】
本発明のフラッシュメモリーシステムガイド装置と実現ガイド方法を図１、図２、図３に示す。本発明は外部のケース１とケース内にＵＳＢインターフェイスＡ、ＣＰＵ　Ｂ、フラッシュメモリーＣ、レジスターＤ、緩衝器Ｅから形成したコントロール電子回路から構成し、ＣＰＵ　Ｂはアドレス通信とモジュール転換を完全に行い、ＣＰＵ　ＢポートはＵＳＢインターフェイスＡ、フラッシュメモリーＣ、レジスターＤと接続している。
【０００８】
ケース１外側側面に内側に読み書きコントロールスイッチを形成したウィンドー２を形成し、コントロールスイッチ３一端はコントロール電子回路のＣＰＵ　Ｂポートの読み書きコントロール線に接続し、もう一端は地面に接している。また、読み書きコントロールスイッチ３操作部はケース１外側側面に形成することができる。
【０００９】
読み書きコントロールスイッチ３はガイドに形成したウィンドー２を滑り移動するスイッチや、押して固定するスイッチ、或いは左右に引き動かすスイッチで形成し、ＣＰＵ　Ｂは電子ロックパスワード或いはガイドプログラムメモリー、ワイヤレス受信デバイスＦと接続している。
【００１０】
ポータブル保存機器は、本発明はフラッシュメモリーを保存媒体として使用し、容量はフラッシュメモリーの大小により決定し、使用者は大容量のデーターを携帯或いはデーター交換することができ、フラッシュメモリーを繋げて容量を増加することができる。
【００１１】
本発明はＵＳＢインターフェイスＡを使用してＰＣと通信し、新しい操作システムを他に駆動する必要がなく、差し込むだけでよく、移動保存の効果を充分発揮することができる。
【００１２】
図４に示すように、フラッシュメモリーＧ、緩衝器Ｈ、ＣＰＵ　Ｉ、接続口Ｊは相互に接続し、同時にワイヤレス発信デバイスＫ及びワイヤレスデバイスＫ１は直接ＣＰＵ　Ｉに対してコントロールする。
【００１３】
このデバイスはデーター保存に使用し、ＤＰ、ＤＮ両リードを通してメインボードのＵＳＢジャンクションとの間でデーター転送を行う。ハードディスク内のデーターとフラッシュメモリー内のデーターは内送信し、データーは携帯できる。
【００１４】
ＵＳＢ入力電圧はＤＣ５Ｖ、ＩＣ操作電圧は３．３Ｖである。電子回路は直流５Ｖから３．３Ｖに変える電子回路を採用する。
【００１５】
Ｕ１はＵＳＢ　ＩＣであり、ＤＡＴＡ＋、ＤＡＴＡ−リードを通してＵＳＢジャンクションと接続し、１５本のアドレス線、２組のデーター線、３２個のＩ／Ｏ　ジャンクション、ＲＤ、ＷＲリードを持ちデーターの読み書き操作を行う。
Ｕ３はフラッシュメモリーであり、ハードディスク間で送受信したデーターを内部に保存し、電力がなくても流失することがない。
Ｕ４は緩衝器であり、１５本のアドレス線Ａ０−Ａ１５、１組のデーター線Ｉ０１／Ｉ０８を形成し、一時的にデーターを保存する部分である。
Ｕ６はパスワードのメモリーを設けることができ、ＳＤＡ、ＳＣＬリードを通してメインＩＣと接続し、デバイスタイプを識別し描写読み取りする。デバイスはメインボードＵＳＢジャンクションに差し込む時、ＤＮ、ＤＰを通してデーターはメインチップＵ１へ転送し、ＩＣ処理後、シリアルＥＥＰＲＯＭ　Ｕ６からデーターを読み出し同時にコマンドをリセットし、デバイスはリセットし、この時デバイスは正常な操作状態になる。読み書きスイッチＳＷ１はＣＰＵのＷＰ　Ａ２に接続し、コントロール端は読み書き可能な高周波に接続或いは電気抵抗器Ｒ３を通して地面に接続し、読むことだけが可能である。
【００１６】
システムはリセット後、データー転送過程を開始実行し、ホストコンピューターはディスク選択を開く為のコマンドを発信し、ＲＤ或いはＷＲなどのコントロール信号を動かす。ハードディスクから読み入れたり読み出したりしたデーターはアドレス線を通してアドレスを選択し、データー線を通してデーターを転送し、Ｕ４　ＳＲＡＭに保存或いはＵ３フラッシュメモリー内に保存される。
【００１７】
ＣＭＯＳ　ＳＲＡＭは緩衝として使用し、電力が切れた時データーは流失するが
、フラッシュメモリー内のデーターは流失することがない。このように最終的にデーターはすべてＵ３フラッシュメモリー内に保存され、いつでも携帯することができる。
【００１８】
ＵＳＢ電子ボードはワイヤレス受信アンテナを設け、現在無数のデバイスはすべて他に通信ポートを通してＰＣ或いはノートブックパソコンに接続し、次第に無数のデバイスがＵＳＢポートを転送ポートとして使用してきている。ＰＣ上のＵＳＢポートが有限な状況下、ワイヤレス受信アンテナをＵＳＢ電子デバイスに集めることは、ＵＳＢ電子デバイスの実用性を高めワイヤレスデバイス増加によるＵＳＢジャンクション不足を解消する。
【００１９】
電子回路図において、ワイヤレスデバイスは赤外線デバイス、ＩＲ、や、ＲＦ、ＲＦＩＤとすることができ、外部データーはＴＡＧ　ＤＡＴＡワイヤレスパスを通してアンテナ探知信号や赤外線受信機などの受信部分に入り、データーは入り込み受信後発信部分へ転送され、発信部分のＴＸ　ＰＷリードを通してデーターを図４に示すようなＣＰＵへ転送し、ＣＰＵはＳＤＡやＳＣＬリードを通してデーターを受信し、ＵＳＢジャンクションを通してＰＣへ転送する。
【００２０】
ワイヤレスデバイスにおける主デバイスはＲＦワイヤレス転送デバイス男ｙ日赤外線、ＩＲ、ワイヤレス転送デバイスであり、使用するワイヤレスデバイスにより転送モードと転送周波数を決定する。ＲＦワイヤレスデバイスにおいては、ＲＦＩＤ受信端のようなＵＳＢ電子デバイス上に受信端を集めた製品であればどのようなものでも使用できる。
【００２１】
コントロールハードディスクにおいて異なるデーター源からのデーターは発信ポートへ分配され、ＰＣへ転送される。ワイヤレスデバイスの受信デバイスはワイヤレスデバイスが発した信号を受信し、この信号はコントロールラーを通してＵＳＢ／ＰＳ−２／１３９４インターフェイス形式に転換され、コンピューターに転入される。
【００２２】
読み：ＮＡＮＤ−ＴＹＰＥのＤＡＴＥは先に緩衝器、ＳＲＡＭに伝え、このデーターはコントトーラーを通してＵＳＢや、ＰＳ／２、１３９４などインターフェイス形式に転換され、コンピューターに転入される。
書き：コンピューターによりフラッシュメモリーに転入されるデーターは、先に緩衝器内に転入し、緩衝器が一杯になった後フラッシュメモリーに転入される。　使用するＵＳＢハブは２つのデーター源に対して使用するＵＳＢハブにより分ける。
【００２３】
本発明にＲＦＩＤの発信端、ＴＡＧ機能を加え、異なるドア安全システムは使用するＴＡＧに代わることができ、ＴＡＧ部分はもしその他ドア安全システムと合わせるならドアシステム業者により提供されデバイスに集められ、さもなければＰＣにＲＦＩＤ受信端部分を加えれば、本発明はＰＣ端身分識別として使用することができ、ＰＣ識別システム中のＴＡＧは我が社が自ら設計製造し身分識別ソフトを提供する。
【００２４】
使用するＴＡＧは主動式と受動式の２種類に分けられ、受動式は固定位置において身分識別に使用することができ、主動式は点距離で識別する製品として使用することができ、使用者の需要によりボタンを押すか或いは主動的に識別行為を印刷し、無意識な識別行為を防ぐことができ、安全な身分識別機能を得られる。ＵＳＢフラッシュメモリーはディスクにＲＦＩＤ　ＴＡＧを加えた後、移動オフィス及び移動保存の意義を更に高め、移動保存デバイスはＰＣ上の使用にとどまらず一般の生活において、ＵＳＢフラッシュメモリーディクスは、ドア安全システム、車盗難防止ロックなど電子身分証明センターとして使用できる。
【００２５】
図６、図７、図８に示すように、本発明はデーター機密保護保存デバイスは保存文書機密保護及び機密機能を提供する。
現在の保存デバイス、ハードディスクなどはシステムディスクをガイドする時、操作システムを入れ、保存デバイスは読み書き状態を開放している場合、部分操作システムは各使用者のハードディスク使用エリアを指定する許可権以外、別に移動保存デバイスは機密保護がさらに重要になり移動顧客はデーター機密保護に対する要求が一般の人よりも高いが、現在の移動保存デバイスはデーター機密保護機能が有限で実用性もあまりよくなく、単独機器上のみ実現でき移動保存の機動性には限りがあった、本発明はローカルデーター機密保護を提供し、ＰＣ環境による影響を受けないことを目的とする。
【００２６】
外部設置ハードディスクの区分を図８、９に示す。１．公共エリアａ：公共エリアは使用者に開放した読み書きエリアを提供このデバイスの使用者はすべてエリアに対して読み書き操作をどのようにもすることができ、公共エリアの使用者は、機密エリアのディスク記号を読み取ったり、見たりすることはできない。２．機密エリアｂ；機密エリアにおける操作は一般のハードディスクと同様であるが、公共エリア内おいて文書を実行することができ、正確にパスワードを入力後データーを読み取ることができ、そうでなければ機密エリアの内容は見たり読み取ったりすることができない。３．パスワードエリアＣ：公共エリア内では使用者はパスワードを入力して書類を要求することができ、パスワードエリア或いは機密エリア内のパスワード保存エリアを読み取ることができ、もし、パスワードが合えば、機密エリアは使用者にディスク記号を提供し、合わなければ、使用者は公共エリアのみを使用する。パスワードエリアは使用者のパスワードを保存し、修正する機能を備え、使用者のパスワードは誤操作によりパスワードが流失したり漏れたりすることがなく確実に保護する。
【００２７】
コンピューターロックの処理方法は次の通りである：長時間ＵＳＢジャンクションに差し込み、ハードウェアの編集プログラム或いは駆動プログラムの入力を通してデバイスにコンピューターロック機能を加え、使用者はデバイスに差し込む以前、ＰＣは起動或いはソフトウェア、プログラムを使用することができず、コンピューター保護ロックは他人がコンピューターシステムに入り込むことを予防する以外に、コンピューター使用記録となり、使用者が起動した後の操作を記録することができる。
【００２８】
２つの種類の実行方法があり、ＢＩＯＳと合わせて使用する場合：デバイスは２組のパスワードを提供し、２組のパスワードは同時或いはどちらか一つを使用することができる。固定パスワード：ＰＩＤ及びＶＩＤデバイスに対してＢＩＯＳは、ＰＯＳＴにおいて標準デバイスを通してＰＩＤ及びＶＩＤを読み取りアクセスすることができ、ＢＩＯＳ内のデーター庫と記号が合えば、ＰＣは正常に起動する。変更可能パスワード：使用者は好みのパスワードをデバイスに保存するができ、保存媒体はＥＥＰＲＯＭ或いはフラッシュメモリーを分けた保護エリア或いはパスワードエリアとすることができる。ＰＣ電源を開いた後、ＢＩＯＳは自動的に使用者にパスワードを入力するよう要求し、パスワードが正しければ正常に起動し、使用者はＢＩＯＳインターフェイス或いは内アプリケーションプログラムを通してパスワードを変更することができる。
【００２９】
デバイス単独使用：デバイスはＢＩＯＳと合わせて使用しない場合、駆動プログラムと合わせて操作システムはコンピューターロック機能を持ち、コンピューターロックパスワードはパスワードエリア或いは機密エリアに保存し、操作システムに入った後、使用者が初めて使用する場合、データー機密機能を通し機密エリアに駆動プログラムをインストール或いはインターネットから駆動プログラムをインストール後、使用者にコンピューターロックパスワードを入力することを要求しコンピューターを使用する権利を得る。ＰＣは各操作前に毎回ＵＳＢディスクが挿入されたかどうか、入力したパスワードはＵＳＢ電子ディスク内のコンピューターロックパスワードと同じかどうかチェックし、使用者に開放し、使用者が続けて使用することを禁止する場合、禁止法式は：シリアルポート、ＵＳＢジャンクション、ＰＳ／２ジャンクション、パラレルポートなど、すべての通信ジャンクション機能を切断し、使用者をログアウトさせる。使用者が再度ログインしたい場合、正確なウィンドウズと言う登録商標を使われているパソコンのソフトウエアを使用したパスワードを入力する必要があり、ＵＳＢフラッシュメモリーディスクを挿入後、正確なパスワードを入力すれば使用権利を得られる。
【００３０】
使用者がすでにデバイスをインストールしている場合、毎回操作システム起動後、システムは自動的に使用者がパスワードを入力するためにパスワードウィンドーを開き、ＵＳＢ電子ディスクのパスワードと同じかどうかチェックし、パスワードが同じであれば、使用者に使用権利を開放し、パスワードが異なれば引き続き使用することを禁止する。シリアルポート、ＵＳＢジャンクション、ＰＳ／２ジャンクション、パラレルポートなど、すべての通信ジャンクション機能を切断し、使用者をログアウトさせる。使用者が再度ログインしたい場合、正確なウィンドウズと言う登録商標を使われているパソコンのソフトウエアを使用したパスワードを入力する必要がある。
【００３１】
本発明はＰＣガイドディスクとして使用する時、デバイスはＵＳＢ位置に挿入する。これにより大保存容量と更なる読み書き速度を提供する。
【００３２】
【発明の効果】
軽量で薄く小さく、ペンと同じ大きさで、大保存空間を提供し、保存データーは安全で物理破壊を受け難く、箱を開けたりする必要がなく使用に便利で、ＵＳＢインターフェイスだけで使用でき、駆動器及び磁気ディスクは部売りすることがなく、現在所有するＰＣは全てＵＳＢインターフェイスを設けているためシステム支援の問題がない。
【００３３】
移動保存の目的以外に機動性も高く、コストが低く、容量が大きく操作システムなくガイド目的を得られる。
【００３４】
データーを確実に保存し、フラッシュメモリーの保存媒体は電子質で、磁気ディスクのような環境の影響を受け難く物理破壊し難く、重要なデーター保存の確実性を高め、使用者は安心してデーターを移動するでき、データー機密保護は、使用者は毎回使用前に必ずパスワードを入力して使用者の身分を確認し、他人にデーターを盗用されたり電子ディスクを紛失した場合のデーター流失を予防する。また、個人のデーター化が進むにつれ、ＰＣなどに個人データーを保存する人が増え、ＰＣ防衛意識が高まりに対してＰＣ電子ロックをすることができる。
【００３５】
本発明にＲＦＩＤの発信端部分、ＴＡＧ、を加えＲＦＩＤ受信端を通してコンピューター安全防衛の目的を得られ、ＲＦＩＤと合わせ、会社の身分識別カード、ＴＡＧ、を携帯する識別カードとして個人移動データー保存を提供し、主動式発信カードと使用して身分識別の安全性を高めることができ、自動車盗難防止ロックなどに応用でき、移動保存デバイスの機動性を更に高める。
【図面の簡単な説明】
【図１】本発明一実施例による外観構造斜視図である。
【図２】本発明一実施例による電子回路構造図である。
【図３】本発明一実施例によるワイヤレス受信部分の電子回路構造図である。
【図４】本発明一実施例によるワイヤレス発信部分の電子回路原理図である
【図５】本発明一実施例による電子回路原理図である。
【図６】本発明一実施例によるシステムガイドデバイス駆動過程図である。
【図７】本発明一実施例によるフラッシュメモリーとディスク関係図である。
【図８】本発明一実施例によるメモリーエリア説明図である。
【図９】本発明一実施例によるメモリーエリア説明図である。
【符号の説明】
１　　　ケース
２　　　ウィンドー
３　　　読み書きコントロールスイッチ
Ａ　　　ＵＳＢインターフェイス
Ｂ　　　ＣＰＵ
Ｃ　　　フラッシュメモリー
Ｄ　　　レジスター
Ｅ　　　緩衝器
Ｆ　　　ワイヤレス受信デバイス
Ｇ　　　フラッシュメモリー
Ｈ　　　緩衝器
Ｉ　　　　ＣＰＵ
Ｊ　　　　接続口
Ｋ　　　　ワイヤレス発信デバイス
Ｋ１　　　ワイヤレスデバイス
ａ　　　公共エリア
ｂ　　　機密エリア
ｃ　　　パスワードエリア
【図１】
2004021581.tif 000003
【図２】
2004021581.tif 000004
【図３】
2004021581.tif 000005
【図４】
2004021581.tif 000006
【図５】
2004021581.tif 000007
【図６】
2004021581.tif 000008
【図７】
2004021581.tif 000009
【図８】
2004021581.tif 000010
【図９】
2004021581.tif 000011